(57)【要約】【課題】入浴時や入浴後の浴室環境に応じて自動的に乾燥・換気運転を行い、浴室内のカビ発生の防止と、効率的な運転により省エネ効果を確保することを目的とするものである。【解決手段】給湯器２との通信手段▲３▼を有し前記給湯器２の温水を利用した浴室１内の乾燥を行う機能と、浴室内の換気を行う機能を有する浴室乾燥機４と、浴室１内に設置され、浴室１内の乾燥・換気判定手段９、及び前記給湯器２との通信手段▲４▼を有する浴室リモコン３とを備え、前記乾燥・換気判定手段９からの情報を前記浴室リモコン３から前記給湯器２へ送信し、前記給湯器２から前記浴室乾燥機４へ換気運転制御信号と乾燥運転制御信号をそれぞれ送信し、浴室乾燥機４の換気運転と乾燥運転を制御するようにしてある。【選択図】  図１
2005009813.tif 000002
【特許請求の範囲】
【請求項１】
通信機能及び注湯、追い焚き機能を有する給湯器と、前記給湯器との通信機能を有し前記給湯器の温水を利用した浴室乾燥及び浴室換気機能を有する浴室乾燥機と、浴室内の乾燥たまは換気の必要性を判断する乾燥・換気判定手段と、風呂運転を指示するスイッチ及び前記給湯器との通信手段を有する浴室リモコンとを備え、前記乾燥・換気判定手段からの情報を前記浴室リモコンから前記給湯器へ送信し、前記給湯器から前記浴室乾燥機へ換気運転制御信号と乾燥運転制御信号をそれぞれ送信する乾燥・換気制御付き給湯器。
【請求項２】
乾燥・換気判定手段を湿度センサーで構成したことを特徴とする請求項１記載の乾燥・換気制御付き給湯器。
【請求項３】
通信機能及び注湯、追い焚き機能を有する給湯器と、前記給湯器との通信機能を有し前記給湯器の温水を利用した浴室乾燥及び浴室換気機能を有する浴室乾燥機と、風呂運転を指示する湯張りスイッチ及び追い焚きスイッチと前記給湯器との通信手段を有する浴室リモコンとを備え、前記湯張りスイッチまたは追い焚きスイッチの操作信号及び操作からの経過時間に連動して換気運転制御信号と乾燥運転制御信号を前記浴室乾燥機へそれぞれ送信することを特徴とする乾燥・換気制御付き給湯器。
【請求項４】
浴室リモコンに自動乾燥・換気選択手段を備え、浴室乾燥機の換気・乾燥の自動運転を解除・選択できる構成とした請求項１〜３のいずれか１項記載の乾燥・換気制御付き給湯器。
【請求項５】
浴室乾燥機の換気運転と乾燥運転が一定時間継続した場合、換気運転停止信号と乾燥運転停止信号を前記浴室乾燥機へそれぞれ送信し、浴室乾燥機の換気運転と乾燥運転を停止することを特徴とする請求項１〜４のいずれか１項記載の乾燥・換気制御付き給湯器。
【発明の詳細な説明】
【０００１】
【発明の属する技術分野】
本発明は、給湯器と浴室乾燥機に関するものである。
【０００２】
【従来の技術】
最近の住宅では浴室乾燥機が設置された物件が多くなってきている。浴室乾燥機は、浴室の換気運転や乾燥運転ができ、図５（ａ）に示すように浴室１に浴槽２１と浴室暖房機４が設置され、浴室１の外に浴室乾燥機４の運転を制御するバス乾リモコン２２が設置され、バス乾リモコン２２のスイッチ操作により乾燥運転や換気運転を行ったり、浴槽２１へのお湯張り運転などを行う給湯器２を遠隔制御する浴室リモコン３に浴室乾燥機４の乾燥運転を指示するスイッチ２３（図５（ｂ））や換気運転を指示するスイッチ２４（図５（ｂ））を備えている（例えば、特許文献１参照）。
【０００３】
【特許文献１】
特開２００１−３０４６８２号公報
【０００４】
【発明が解決しようとする課題】
しかしながら上記従来の構成においては、入浴時や入浴後に浴室の換気運転を指示する操作を忘れてしまうと、特に、マンション等の浴室では窓がない場合が多く、浴室内にカビが発生する原因となってしまう。また、停止操作を忘れ浴室の換気が停止されないと、無駄な電力を消費してしまうという課題を有していた。
【０００５】
【課題を解決するための手段】
本発明は上記課題を解決するために、給湯器と浴室乾燥機と浴室リモコンを通信手段により連携し、浴室内の乾燥たまは換気の必要性を判断する乾燥・換気判定手段からの情報を前記浴室リモコンから前記給湯器へ送信し、前記給湯器から前記浴室乾燥機へ換気運転制御信号と乾燥運転制御信号をそれぞれ送信するようにしたものである。
【０００６】
上記発明によれば、浴室の換気開始と換気停止を浴室環境に応じて自動的に行うため、換気忘れによる浴室内のカビの発生を抑制でき、換気運転の停止忘れによる無駄な電力の消費をなくすことができる。
【０００７】
【発明の実施の形態】
請求項１記載の発明は、通信機能及び注湯、追い焚き機能を有する給湯器と、前記給湯器との通信機能を有し前記給湯器の温水を利用した浴室乾燥及び浴室換気機能を有する浴室乾燥機と、浴室内の乾燥たまは換気の必要性を判断する乾燥・換気判定手段と、風呂運転を指示するスイッチ及び前記給湯器との通信手段を有する浴室リモコンとを備え、前記乾燥・換気判定手段からの情報を前記浴室リモコンから前記給湯器へ送信し、前記給湯器から前記浴室乾燥機へ換気運転制御信号と乾燥運転制御信号をそれぞれ送信することを特徴とするもので、浴室の換気と換気停止を浴室環境に応じて自動的に行え、換気忘れによる浴室内のカビの発生を抑制でき、浴室の換気停止を忘れることによる無駄な電力の消費をなくす作用を有する。
【０００８】
請求項２記載の発明は、乾燥・換気判定手段を湿度センサーにより構成したことを特徴とするもので、湿度により浴室の換気と換気停止を自動的に行え、換気忘れによる浴室内のカビの発生を抑制でき、浴室の換気停止を忘れることによる無駄な電力の消費をなくす作用を有する。
【０００９】
請求項３記載の発明は、通信機能及び注湯、追い焚き機能を有する給湯器と、前記給湯器との通信機能を有し前記給湯器の温水を利用した浴室乾燥及び浴室換気機能を有する浴室乾燥機と、風呂運転を指示する湯張りスイッチ及び追い焚きスイッチと前記給湯器との通信手段を有する浴室リモコンとを備え、前記湯張りスイッチまたは追い焚きスイッチの操作信号及び操作からの経過時間に連動して換気運転制御信号と乾燥運転制御信号を前記浴室乾燥機へそれぞれ送信することを特徴とするもので、湿度センサーなどのコストアップなしに浴室の換気と換気停止を自動的に行え、換気忘れによる浴室内のカビの発生を抑制でき、浴室の換気停止を忘れることによる無駄な電力の消費をなくす作用を有する。
【００１０】
請求項４記載の発明は、浴室リモコンに、自動乾燥・換気選択手段を備え、前記浴室乾燥機の換気運転と乾燥運転の自動的運転の解除を選択できるため、別に換気扇が浴室にある場合や窓を開けて換気する場合などで使用したくない場合は、自動的な換気を解除でき、使い勝手がよいという作用を有する。
【００１１】
請求項５記載の発明は、浴室乾燥機の換気運転と乾燥運転が一定時間継続した場合、換気運転停止信号と乾燥運転停止信号を前記浴室乾燥機へそれぞれ送信し、浴室乾燥機の換気運転と乾燥運転を停止できるため、湿度センサーや通信異常時など判定手段の異常時のバックアップとして異常時の無駄な換気運転による電力の消費をなくす作用を有する。
【００１２】
【実施例】
（実施例１）
図１は本発明の実施例１の乾燥・換気制御付き給湯器の構成図である。
【００１３】
図１（ａ）は機器の設置状態を示し、浴室１内に、給湯器２を遠隔操作する浴室リモコン３と、浴室の乾燥や換気を行う浴室乾燥機４が設置されている。
【００１４】
浴室リモコン３に設けた通信手段▲４▼５との通信手段▲１▼６を備え、浴室リモコン３からの指示で浴槽への湯の供給と浴槽の湯を温める給湯器２と、前記給湯器２の通信手段▲２▼７との通信手段▲３▼８を有し前記給湯器２の温水を利用した浴室１内の乾燥を行う機能と浴室１内の換気を行う機能を有する浴室乾燥機４において、湿度を検知する湿度センサ−等で構成された浴室内の環境を検出する乾燥・換気判定手段９を浴室リモコン３に設け、前記乾燥・換気判定手段９からの情報を通信手段▲４▼５により前記給湯器２へ送信し、前記給湯器２の通信手段▲１▼６で受信し、乾燥・換気運転信号判定手段▲１▼１０により乾燥運転もしくは換気運転の開始と停止を判断し、乾燥運転もしくは換気運転の開始（例えば、湿度センサーにより湿度７０％以上）もしくは停止（例えば、湿度センサーにより湿度５０％以下）いずれかを判断した場合、通信手段▲２▼７から前記浴室乾燥機４へ換気運転制御開始信号、換気運転制御停止信号もしくは乾燥運転制御開始信号、乾燥運転制御停止信号を送信し、前記浴室乾燥機４の通信手段▲３▼８で受信し、乾燥・換気運転信号判定手段▲２▼１１により乾燥運転もしくは換気運転の開始と停止を判断し、乾燥運転もしくは換気運転の開始もしくは停止いずれかを判断した場合、浴室乾燥・換気動作制御手段１２により通信手段▲３▼８を介して給湯器２へ乾燥運転制御開始信号、乾燥運転制御停止信号もしくは換気運転制御開始信号、換気運転制御停止信号を送信し、給湯器２は通信手段▲２▼７で受信し給湯器動作制御手段１３により前記給湯器２は前記浴室乾燥機４への温水の供給（例えば、ポンプによる温水の供給）もしくは、温水供給の停止を行う。
【００１５】
浴室乾燥機４は、浴室乾燥・換気動作制御手段１２により浴室乾燥運転の開始においては、給湯器２から供給される温水を利用し、循環ファン１４により温風を浴室１内に送り、換気ファン１５により浴室１内の湿気を屋外へ放出することで浴室内を乾燥させる。換気運転の開始においては換気ファン１５のみ駆動させることにより浴室１内を換気させる。乾燥運転停止および換気運転停止の場合は、循環ファン１４と換気ファン１５ともに停止させる。
【００１６】
（実施例２）
図２は本発明の実施例２の乾燥・換気制御付き給湯器の構成図である。実施例１と同一部品は同一番号を付記し説明を省略する。
【００１７】
浴室リモコン３のお湯張り（その他に、追焚き）スイッチ１６の開始操作もしくは停止操作でお湯張り信号（追焚き信号）開始もしくは停止を通信手段▲４▼５により送信し、給湯器２の通信手段▲１▼６で受信すると給湯器動作制御手段１３により浴槽へ所定量の湯を供給するお湯張り運転（浴槽の湯を所定温度まで温める追焚き運転）の開始もしくは停止を行う。乾燥・換気運転連動手段１７によりお湯張り（運転追炊き運転）開始から一定時間経過後（例えば、１分経過後）には、浴室暖房機４へ通信手段▲２▼７により換気運転制御開始信号もしくは乾燥運転制御開始信号をそれぞれ送信し、乾燥・換気運転連動手段１７によりお湯張り運転（追焚き運転）停止から一定時間経過後（例えば、１時間経過後）には、浴室暖房機４へ通信手段▲２▼７により換気運転制御停止信号もしくは乾燥運転制御停止信号をそれぞれ送信する。
【００１８】
（実施例３）
図３は本発明の実施例３の乾燥・換気制御付き給湯器の構成図である。実施例１、２と同一部品は同一番号を付記して説明を省略する。
【００１９】
浴室リモコン３が有する自動乾燥・換気選択手段１８（例えばタクトスイッチ操作）により、浴室リモコン３の通信手段▲４▼５から自動乾燥・換気運転解除情報を前記給湯器２へ送信し、前記給湯器２の通信手段▲１▼６で受信し、自動乾燥・換気解除手段１９により自動乾燥。換気解除情報であることを判断すると、浴室乾燥機４へ換気運転制御開始信号、換気運転制御停止信号もしくは乾燥運転制御開始信号、乾燥運転制御停止信号を送信しない。
【００２０】
（実施例４）
図４は本発明の実施例４の乾燥・換気制御付き給湯器の図である。実施例１〜３と同一部品は同一番号を付記して説明を省略する。
【００２１】
給湯器２の通信手段▲２▼７から浴室乾燥機４へ換気運転制御開始信号もしくは乾燥運転制御開始信号を送信してから一定時間経過（例えば、４時間）を乾燥・換気運転バックアップ手段２０により判断すると、換気運転制御停止信号もしくは、乾燥運転制御停止信号を送信する。
【００２２】
【発明の効果】
以上のように本発明によれば、入浴時や入浴後に浴室の換気をすることを忘れてしまい浴室内のカビの発生要因となったり、浴室の換気停止を忘れると無駄な電力を消費してしまうということがなくなるという効果が得られる。
【図面の簡単な説明】
【図１】本発明の実施例１の乾燥・換気制御付き給湯器の構成図
【図２】本発明の実施例２の乾燥・換気制御付き給湯器の構成図
【図３】本発明の実施例３の乾燥・換気制御付き給湯器の構成図
【図４】本発明の実施例４の乾燥・換気制御付き給湯器の構成図
【図５】従来の乾燥・換気制御付き給湯器の構成図
【符号の説明】
１  浴室
２  給湯器
３  浴室リモコン
４  浴室乾燥機
５  通信手段▲４▼
６  通信手段▲１▼
７  通信手段▲２▼
８  通信手段▲３▼
９  乾燥・換気判定手段
１０  乾燥・換気運転信号判定手段▲１▼
１１  乾燥・換気運転信号判定手段▲２▼
１２  浴室乾燥・換気動作制御手段
１３  給湯器動作制御手段
１４  循環ファン
１５  換気ファン
１６  お湯張りスイッチ
１７  乾燥・換気運転連動手段
１８  自動乾燥・換気選択手段
１９  自動乾燥・換気解除手段
２０  乾燥・換気運転バックアップ手段
２１  浴槽
２２  バス乾リモコン
２３  乾燥運転を指示するスイッチ
２４  換気運転を指示するスイッチ
【図１】
2005009813.tif 000003
【図２】
2005009813.tif 000004
【図３】
2005009813.tif 000005
【図４】
2005009813.tif 000006
【図５】
2005009813.tif 000007